(57)【特許請求の範囲】
【請求項１】
先羽根及び後羽根の各駆動装置と該各駆動装置の作動のタイミングを制御する制御装置とを有しシャッタ地板に取り付けられているシャッタ開閉機構と、少なくとも前記制御装置用の配線が施され前記シャッタ地板に取り付けられているプリント配線板と、第１接点部材と第２接点部材とが前記プリント配線板に該プリント配線板を表裏から挟み且つそれらの一部が重なるように配置されて取り付けられておりそれらの自由端部には互いに接離可能な接点部を有しているスイッチ機構とを備え、前記スイッチ機構は前記駆動装置又はこれと連動する部材によって開閉されるようにしたことを特徴とするカメラ用フォーカルプレンシャッタ。
【請求項２】
シャッタ地板と略平行になるようにして該シャッタ地板との間に所定の間隔を持たせて取り付けられた支持板と、前記支持板の前記シャッタ地板とは反対側に重ねて配置されたプリント配線板と、前記シャッタ地板と前記支持板との間において前記シャッタ地板に設けられた各垂直軸に枢着された先羽根用駆動部材及び後羽根用駆動部材と、前記支持板に隣接させて前記各垂直軸と同心的且つ回転可能に配置され各々噛合関係によってその回転位置を規制される先羽根用規制歯車及び後羽根用規制歯車と、前記各垂直軸と同心的に巻回されており各一端を前記先羽根用駆動部材及び後羽根用駆動部材に各他端を前記先羽根用規制歯車及び後羽根用規制歯車に張架した先羽根用駆動バネ及び後羽根用駆動バネと、第１接点部材は前記シャッタ地板側から第２接点部材は前記シャッタ地板とは反対側から前記プリント配線板を挟みそれらの一部が重なるようにして該プリント配線板に取り付けられておりそれらの自由端部には互いに接離可能な接点部を有しているスイッチ機構とを備え、前記スイッチ機構は前記先羽根用駆動部材又はそれと連動する部材によって開閉されるようにしたことを特徴とするカメラ用フォーカルプレンシャッタ。
【請求項３】
前記スイッチ機構は、前記二つの接点部材の何れか一方であって、カメラ本体側により近い部材の電気的電位が接地されていることを特徴とする請求項１又は２に記載のカメラ用フォーカルプレンシャッタ。
【発明の詳細な説明】
【０００１】
【産業上の利用分野】
本発明は、プリント配線板に設けられた二つの接点部材から成るカメラ用フォーカルプレンシャッタのスイッチ機構に関する。
【０００２】
【従来の技術】
近年のカメラ用フォーカルプレンシャッタは、その殆どが先・後羽根の走行のタイミングを電気的に制御している。また、先・後羽根を直接モータで駆動するようにしたものも真剣に考えられている。そのため、最近では、シャッタ開閉機構と共にプリント配線板をシャッタ地板に取り付けるようにしたものが多くなってきた。他方、フラッシュ撮影を行う場合、その発光のタイミングをシャッタ羽根の作動に連動させる必要があるため、シャッタ羽根の作動位置を検出するためのスイッチ機構をシャッタ開閉機構の近傍に配置することが従来より知られている。このような状況から、上記のようなスイッチ機構を半田付け，かしめ等によってプリント配線板に取り付けるようにしたものが知られており、例えば例が実開平１−１４０５２５号公報や図７に示されているが、これらのものは二つの接点部材が全てプリント配線板の同一面上に配置されている。
【０００３】
【発明が解決しようとする課題】
然るに、最近では、パノラマサイズやハイビジョンサイズの写真が普及し、一眼レフカメラにおいてもこれに対応せざるを得ず、必然的にカメラの大型化を余儀なくされている。そのため、小型化への様々な工夫がなされているが、フォーカルプレンシャッタに対する小型化の要求もこれまで以上に一段と大きくなってきている。従って、プリント配線板に対する上記のようなスイッチ機構の取り付け構造についてもスペース的に効率を良くし、ひいてはプリント配線板の小型化を可能にしたり、他部品の取り付けを可能にする必要がでてきた。
【０００４】
本発明は、このような問題点を解決するためになされたものであり、その目的とするところは、フラッシュ撮影用のスイッチ機構を構成している二つの接点部材を、シャッタ地板に取り付けられているプリント配線板の表裏に別々に且つそれらの少なくとも一部がプリント配線板を挟んで重なるようにして配置することにより、プリント配線板のスペース効率を一段と向上させるようにしたカメラ用フォーカルプレンシャッタを提供することである。
【０００５】
【課題を解決するための手段及び作用】
上記の目的を達成するために、本発明のカメラ用フォーカルプレンシャッタは、先羽根及び後羽根の各駆動装置と該各駆動装置の作動のタイミングを制御する制御装置とを有しシャッタ地板に取り付けられているシャッタ開閉機構と、少なくとも前記制御装置用の配線が施され前記シャッタ地板に取り付けられているプリント配線板と、第１接点部材と第２接点部材とが前記プリント配線板に該プリント配線板を表裏から挟み且つそれらの一部が重なるように配置されて取り付けられておりそれらの自由端部には互いに接離可能な接点部を有しているスイッチ機構とを備え、前記スイッチ機構は前記駆動装置又はこれと連動する部材によって開閉されるようになされている。
【０００６】
また、本発明のカメラ用フォーカルプレンシャッタは、シャッタ地板と略平行になるようにして該シャッタ地板との間に所定の間隔を持たせて取り付けられた支持板と、前記支持板の前記シャッタ地板とは反対側に重ねて配置されたプリント配線板と、前記シャッタ地板と前記支持板との間において前記シャッタ地板に設けられた各垂直軸に枢着された先羽根用駆動部材及び後羽根用駆動部材と、前記支持板に隣接させて前記各垂直軸と同心的且つ回転可能に配置され各々噛合関係によってその回転位置を規制される先羽根用規制歯車及び後羽根用規制歯車と、前記各垂直軸と同心的に巻回されており各一端を前記先羽根用駆動部材及び後羽根用駆動部材に各他端を前記先羽根用規制歯車及び後羽根用規制歯車に張架した先羽根用駆動バネ及び後羽根用駆動バネと、第１接点部材は前記シャッタ地板側から第２接点部材は前記シャッタ地板とは反対側から前記プリント配線板を挟みそれらの一部が重なるようにして該プリント配線板に取り付けられておりそれらの自由端部には互いに接離可能な接点部を有しているスイッチ機構とを備え、前記スイッチ機構は前記先羽根用駆動部材又はそれと連動する部材によって開閉されるようになされている。
【０００７】
【実施例】
本発明の実施例を図１乃至図６を用いて説明する。図１は露光終了後の状態を示す本実施例の正面図である。図２は図１の一部拡大図であり、図３は図２を下方から視たスイッチ機構の拡大図である。図４は図２の左側面図である。図５及び図６は、先羽根開閉機構の一部を透視的に示した要部拡大図であり、図５は露光終了状態を、図６はチャージ状態を示している。
【０００８】
図１は露光終了後の状態を示しており、シャッタ地板１の露光開口１ａは４枚で構成された後羽根群２によって閉鎖されている。この時、複数枚で構成された先羽根群は露光開口１ａの下方位置に重畳状態にある。これらの羽根群は各々複数のアームによって平行四辺形のリンク機構を構成するように枢支されているが、それらの構成及び開閉作動は周知であるので詳細な説明は省略する。プリント配線板３は、明示していない軸によりシャッタ地板１との間に所定のスペースを空けるようにして、ビス４，５によって取り付けられている。プリント配線板３の表面側にはこのシャッタに必要な各種電気配線が施されているが、斜線で示されている所は半田付けが行われる場所を示している。符号３ａはフラッシュ装置との接続部、符号３ｂはアースとの接続部を示している。
【０００９】
また、プリント配線板３がビス５によって取り付けられている軸にはセットレバー６が枢着され、明示していないバネによって反時計方向へ付勢されている。従って、シャッタをチャージする時は、このセットレバー６を時計方向へ回転させることにより先羽根駆動装置と後羽根駆動装置とをチャージ位置にセットする。先羽根駆動装置と後羽根駆動装置とはシャッタ地板１とプリント配線板３との間に配置されており、先羽根駆動装置は図１においてビス５の位置より下方に、また後羽根駆動装置はビス５の位置より上方に配置されているが、周知のようにそれらは略同一の構成をしている。従って、先羽根駆動装置の構成については、後ほど説明するが後羽根駆動装置の説明は省略する。
【００１０】
次に、主に図２及び図３を用いてスイッチ機構の構成を説明する。尚、図３は二つの接点部材７，８をプリント配線板３に取り付けている半田を取り除いた状態を示している。可動側の接点部材７は、プリント配線板３の裏側に配置されているが、折曲部７ａ，７ｂが夫々プリント配線板３に形成された切欠部３ｃ，孔３ｄに掛け止めされ、表面側で半田付け等で導通保持されている。固定側の接点部材８はプリント配線板３の表面側に配置されており、折曲部８ａ，８ｂが夫々プリント配線板３に形成された切欠部３ｅ，孔３ｆに掛け止めされ、表面側で半田付け等で導通保持されている。そして、図２からも明瞭に分かるように二つの接点部材７，８は、プリント配線板３を挟んでそれらの一部が重なるように配置されている。
【００１１】
接点部材７，８は、各々自由端部７ｃ，８ｃをシャッタ地板１側へ９０度折り曲げており、それらの先端部には接点部７ｄ，８ｄが形成されている。また、接点部材７には突起部７ｅが形成されている。自由端部７ｃ，８ｃは夫々弾性を有しており、図２に示された状態は先羽根用駆動部材によって接点部７ｄが下方へ押され、接点部８ｄに接触した後、更に下方まで押された状態を示している。この状態から先羽根用駆動部材による押圧が解かれると、自由端部７ｃは自己の弾性力により突起部７ｅがプリント配線板３の端面３ｇに当接するまで上方へ動き、自由端部８ｃは自己の弾性力により接点部８ｄがプリント配線板３の端面３ｈに当接するまで上方へ動く。従って、その状態においては、接点部７ｄ，８ｄは非接触状態となる。
【００１２】
次に、先羽根用駆動装置の構成を、主に図４を用いて説明する。シャッタ地板１の裏面には羽根室を形成するようにしてカバー板９が取り付けられている。また、シャッタ地板１にはその表裏に貫通して軸１０が固定されている。この軸１０には周知のように裏面側の羽根室内において先羽根用の駆動アーム１１が枢着され、表面側においては先羽根用駆動部材１２及び先羽根用ラチェット歯車１３が枢着されて、その先端１０’はプリント配線板３に設けられた孔に嵌合している。また、軸１０には先羽根用駆動バネ１４が卷回されており、その一端は先羽根用ラチェット歯車１３のスリワリ１３ａに、他端は先羽根用駆動部材１２の表面側に形成された溝１２ｇ（図５，図６）に掛けられている。
【００１３】
支持板１５は、上記したビス４，５によりプリント配線板３と重ねるようにしてシャッタ地板１に取り付けられており、その一部が折り曲げられラチェット爪１５ａを形成している。このラチェット爪１５ａは先羽根用ラチェット歯車１３の外周部に形成された歯部と噛合しており、先羽根用ラチェット歯車１３の回転止めの役目をしている。先羽根用駆動部材１２の駆動力を調整するときには、ラチェット爪１５ａを外して先羽根用ラチェット歯車１３を回転させ、先羽根用駆動バネ１４の強さを調整した後、再び先羽根用ラチェット歯車１３に噛合させる。そして、上記した接点部材７の一部はこの先羽根用ラチェット歯車１３とプリント配線板３との間のスペースに配置されている。
【００１４】
更に、図５も用いて先羽根用駆動部材１２の詳細な構成と、先羽根用駆動部材１２の回転開始のタイミングを制御する制御装置の構成を説明する。尚、図５においてはプリント配線板３の外形は一点鎖線で示されている。先羽根用駆動部材１２には裏面側に駆動ピン１２ａが設けられており、シャッタ地板１に形成された周知の円弧状のスロット１ｂ（一部が図２に示されている）を貫通して駆動アーム１１に形成された孔に嵌合している。従って、図５において先羽根用駆動部材１２が軸１０の周りを反時計方向へ動かされると、駆動ピン１２ａが駆動アーム１１を軸１０の周りで反時計方向へ動かし、複数枚で構成される先羽根群をチャージ位置へセットすることになる。
【００１５】
先羽根用駆動部材１２の裏面側にはローラ１２ｂが設けられている。このローラ１２ｂは、図１においてセットレバー６を時計方向へ回転させたとき、セットレバー６に設けられた図示していないローラと接触し、そのローラによって押されるようになされている。また、先羽根用駆動部材１２の表面側には立上げ部１２ｃ，１２ｄが設けられている。立上げ部１２ｃはその上方縁部で上記した接点部材７の接点部７ｄに接触し得るようになされている。立上げ部１２ｄには周知のように軸１２ｅと一体の鉄片部材１２ｆが取り付けられている。更に、先羽根用駆動部材１２の表面側には溝１２ｇが形成され、そこに上記した先羽根用駆動バネ１４が掛けられている。
【００１６】
シャッタ地板１と支持板１５との間には、適宜な手段によって電磁石１６がシャッタ地板１に設置されており、通電された時その磁力によって鉄片部材１２ｆを吸着し得るようになされている。この電磁石１６への通電は、撮影時にカメラのレリーズボタンが押された時に行われ、所定時間後にその通電が断たれるようになっていることは言うまでもない。先羽根用駆動装置は、このような軸１０，駆動部材１２，ラチェット歯車１３，駆動バネ１４等から構成されているが、後羽根用駆動装置も殆ど同じ構成をしているので、それらの説明を省略することについては前にも述べた通りである。
【００１７】
次に、主に図５と図６を用いて、本実施例の作動を説明する。セットレバー６（図１）が時計方向へ回転されると、露光終了状態を示す図５においてローラ１２ｂが押され先羽根用駆動部材１２が反時計方向へ回転される。先羽根用駆動部材１２はこの回転の過程において、先羽根用駆動バネ１４をチャージして行くと共に駆動ピン１２ａにより駆動アーム１１を動かし図示していない先羽根群をチャージ位置（図１における露光開口１ａを覆う位置）へ動かして行く。セットレバー６の時計方向への回転によって、後羽根群２も先羽根群に僅かに遅れてチャージ位置（図１における露光開口１ａの上方位置）へ動かされて行く。
【００１８】
この時、接点部材７は、自己の弾性力によって先羽根用駆動部材１２の立上げ部１２ｃに追従し、接点部７ｄを上方へ動かして行く。そのため、接点部材８も自己の弾性力によって追従し、接点部８ｄが上方へ動いて行く。やがて、接点部材８は接点部８ｄがプリント配線板３の端面３ｈに当接することによって上方への動きを停止するが、接点部材７は尚も上方へ動くため、接点部７ｄと８ｄの接触が解かれる。その後、接点部材７も、その突起部７ｅがプリント配線板３の端面３ｇに当接することによって上方への動きを停止する。先羽根用駆動部材１２は尚も反時計方向へ回転され、鉄片部材１２ｆが電磁石１６の鉄心１６ａに接触する位置までくると、セットレバー６の時計方向の回転が停止し、図示していないカメラ側にある部材によって、セットレバー６と共にその位置に保持される。その位置が図６に示されている。勿論、この時には図示していない後羽根用駆動部材も同じ状態になっている。
【００１９】
図６に示されたチャージ状態においてカメラのレリーズボタンを押すと、先ず電磁石１６に通電され、電磁石１６が鉄片部材１２ｆを磁気的に保持した後、上記したカメラ側の部材による保持力が解かれ、セットレバー６が先ず復帰する。その後、電子回路からの制御信号によって電磁石１６への通電が断たれると、先羽根用駆動部材１２は先羽根用駆動バネ１４の力によって時計方向へ回転する。それによって、露光開口１ａを覆っていた先羽根群は、露光開口１ａを開放しつつ下方へ走行する。先羽根群が露光開口１ａを略完全に開放する位置の近傍に達した時、先羽根用駆動部材１２の立上げ部１２ｃが接点部材７を押し、その接点部７ｄが接点部材８の接点部８ｄに接触し、フラッシュが発光される。
【００２０】
先羽根用駆動部材１２はその後も回転し、更に間接的に接点部材８をも押して図５の位置に達し、停止する。先羽根群が露光開口１ａを完全に開放した後、図示していない後羽根用駆動部材も電磁石から釈放され、後羽根用駆動バネによって回転され、後羽根群２を走行させる。そして、後羽根群２が図１に示すように露光開口１ａを完全に覆うことにより撮影が終了する。尚、フラッシュ撮影を行わず通常の撮影を行う場合には、先羽根群が露光開口１ａを完全に開放する前に後羽根群２を走行させる場合があることは言うまでもない。また、上記の実施例においてはプリント配線板がシャッタ地板に対して平行になるように配置されているが、シャッタ開閉機構の構成次第ではプリント配線板をシャッタ地板に対して垂直になるように配置しても差し支えない。
【００２１】
【発明の効果】
上記のように、本発明によれば、カメラ用フォーカルプレンシャッタにおいて、フラッシュ撮影用のスイッチ機構を構成する二つの接点部材を、シャッタ開閉機構の近傍に配置されているプリント配線板の表裏に別々に且つプリント配線板を挟んでそれらの一部が重なり合うようにして取り付けているから、プリント配線板のスペース効率が向上し、シャッタの小型化に寄与できるという効果がある。また、プリント配線板の裏面側に取り付けられる接点部材を、先羽根用駆動バネを調整するためのラチェット歯車と該プリント配線板との間に配置した場合には、スペース効率が一段と向上する。更に、二つの接点部材の自由端を折り曲げ、アース側に接続する接点部材がシャッタ開閉機構に対して外側となるようにした場合には、カメラへの組み付け時にカメラボディーとの接触によってフラッシュが発光されてしまうというようなトラブルも防止できる。そのため、カメラの設計上、カメラ側の構成部品を接点部材の近傍位置に配置し易くなる。
【図面の簡単な説明】
【図１】露光終了後の状態を示す実施例の正面図である。
【図２】図１の一部拡大図である。
【図３】図２を下方から視たスイッチ機構の拡大図である。
【図４】図２の左側面図である。
【図５】先羽根開閉機構の一部を透視的に示した要部拡大図であり、露光終了状態を示している。
【図６】先羽根開閉機構の一部を透視的に示した要部拡大図であり、チャージ状態を示している。
【図７】従来例を示す正面図である。
【符号の説明】
１                        シャッタ地板
２                        後羽根群
３                        プリント配線板
３ａ，３ｂ                接続部
３ｃ，３ｅ                切欠部
３ｄ，３ｆ                孔
３ｇ，３ｈ                端面
４，５                    ビス
７，８                    接点部材
７ａ，７ｂ，８ａ，８ｂ    折曲部
７ｃ，８ｃ                自由端部
７ｄ，８ｄ                接点部
７ｅ                      突起部
１０，１２ｅ              軸
１２                      先羽根用駆動部材
１２ａ                    駆動ピン
１２ｂ                    ローラ
１２ｃ，１２ｄ            立上げ部
１２ｆ                    鉄片部材
１２ｇ                    溝
１３                      先羽根用ラチェット部材
１３ａ                    スリワリ
１４                      先羽根用駆動バネ
１５                      支持板
１５ａ                    ラチェット爪
１６                      電磁石
【図１】
0003573509.tif 000002
【図２】
0003573509.tif 000003
【図３】
0003573509.tif 000004
【図４】
0003573509.tif 000005
【図５】
0003573509.tif 000006
【図６】
0003573509.tif 000007
【図７】
0003573509.tif 000008